(57)【要約】【課題】多数積み重ねて保存した中から、１つずつの迅速な取り出しと展開を容易とし、且つ収容した内容物の取り出しも容易とした手持ち折畳み容器を得る。【解決手段】折畳み手持ち容器は、方形のシート１の一辺１ａに沿う所定幅部分２を折畳んでシート面１ｆに重合させ、重合辺１ｂに交わる辺１ｃを、それら両辺の角部５から重合辺に合せてシート全体を２つ折りし、所定幅部分と２つ折りにより該部分に重合する部分６を貼着してなる。これにより、容器の開放辺側で重なる表裏２つの辺１ｄ，１ｅが所定幅分だけずれ、これら２つの辺のずれにより、完成品の容器を多数積み重ねた状態で、重なり合う容器間にシートの厚さ分の隙間が保たれる。この隙間が容器を１個宛取り出す際の容器の分け目となり、順次の取り出しが容易となり、取出しや展開に迅速性を要求される用途に適した折畳み容器を得ることができる。【選択図】        図１
2004149146.tif 000002
【特許請求の範囲】
【請求項１】
方形のシートを素材とし、その一辺に沿う所定幅部分を折畳んでシート面に重合させ、それにより形成される重合辺に交わる辺を、それら両辺の角部から重合辺に合せてシート全体を折畳み、前記所定幅部分とシート全体の折畳みにより該部分に重合する部分を貼着してなることを特徴とする折畳み手持ち容器。
【請求項２】
前記シートは、折畳み前の形状が正方形である、請求項１記載の折畳み手持ち容器。
【請求項３】
前記角部は、シート全体の折畳みにより形成される実質上直角三角形の３辺を所定幅部分を重合させるシート面側からみたときの、斜辺の左端とされる、請求項２記載の折畳み手持ち容器。
【請求項４】
前記シートは、所定幅部分を角部から斜めに切除されている、請求項１、２又は３記載の折畳み手持ち容器。
【発明の詳細な説明】
【０００１】
【発明の属する技術分野】
本発明は、手持ち容器に関し、特に、収容物を投入する際に展開させて使用する、特に食品等の店頭販売に適する折畳み手持ち容器に関する。
【０００２】
【従来の技術】
運搬時や保存時の便宜性から、非使用時は折畳んで偏平な形状となり、使用時に展開させて内容物を投入可能とする折畳み容器には、従来より種々のものがある。こうした容器は、一般に、収容する内容物が特定の形状の単品である場合、パイの容器に代表されるように、展開時にその形状と概ね一致するような形状とされ、内容物が細かく多数である場合、フライドポテトの容器に代表されるように、それらの逐次の取り出しが容易で、自立性のある形状とされる。
【０００３】
他方、特に折畳を考慮しない包装容器形状として、アイスクリームの包装に用いられる円錐形のものがあり、この形状のものでは、巻いたシートの開口部が円形となるように、扇形のシートを素材とするのが通例である。こうした中で、食品用ではないが、素材を正方形のシートとする円錐形の包装容器が、実開平１−１７０１６５号公報に開示の考案において提案されている。この提案に係る包装容器は、正方形のシートの一辺に沿って両面接着テープを貼付け、この辺と交わる他辺を前記一辺に沿って貼り合わせることで円錐形を得ている。
【０００４】
【発明が解決しようとする課題】
ところで、店頭販売においては、商品を入れた容器は、内容物を投入後に、販売員から購買者に直接手渡しされ、購買者も手持ち状態のまま内容物を取り出すのが通例であり、こうした販売に使用する容器にとって、自立性は必ずしも重要ではない。こうした販売方法では、販売者側にとっては、折畳み状態の容器を多数ストックされた中から１つずつ取り出す際の迅速性と、展開の容易さがむしろ重要であり、購買者にとっては、内容物の取り出しの容易さが重要である。こうした面から従来の折畳み容器をみると、それらは展開時の形状の工夫に重きが置かれ、販売時の利便性の考慮に欠ける面がある。この点は、仮に上記提案に係る包装容器を折畳保存し、展開使用するようにした場合を想定しても同様である。
【０００５】
本発明は、こうした事情に鑑み案出されたものであり、多数積み重ねて保存した中から、１つずつの迅速な取り出しと展開を容易とし、且つ収容した内容物の取り出しも容易とした手持ち折畳み容器を提供することを目的とする。
【０００６】
【課題を解決するための手段】
上記目的を達成するため、本発明の折畳み手持ち容器は、方形のシートを素材とし、その一辺に沿う所定幅部分を折畳んでシート面に重合させ、それにより形成される重合辺に交わる辺を、それら両辺の角部から重合辺に合せてシート全体を折畳み、前記所定幅部分とシート全体の折畳みにより該部分に重合する部分を貼着してなることを特徴とする。
【０００７】
上記の構成において、好ましくは、前記シートは、折畳み前の形状が正方形とされる。この場合、前記角部は、シート全体の折畳みにより形成される実質上直角三角形の３辺を所定幅部分を重合させるシート面側からみたときの、斜辺の左端とされるのが有効である。また、前記シートは、前記所定幅部分を前記角部から斜めに切除されているものであることが望ましい。
【０００８】
【発明の実施の形態】
以下、本発明の実施形態を説明する。図１は、本発明の折畳み手持ち容器に使用するシート素材を示す。この形態では、シート１は正方形とされ、シート１の一辺１ａに沿う所定幅部分２を折畳んでシート面１ｆに重合させるべく、一辺１ａに平行に型押し折線３（図には破線で示すが、実際には連続線）が形成されている。そして、型押し折線３の一端から辺１ａにかけて、４５°の角度で斜めに、シート１の角部４が切除されている。更に、重合により形成される重合辺（型押し線３の山側）１ｂに交わる辺１ｃを、それら両辺１ｂ，１ｃの角部４から重合辺１ｂに合せてシート１全体を２つ折りに折畳むべく、角部４から両辺１ｂ，１ｃに対して４５°の角度で型押し折線５（同様に、実際には連続線）が形成されている。
【０００９】
こうした構成からなるシート１を、先ず型押し折線３に沿って該線３を谷側として折畳み、次に型押し折線５に沿って同じく該線５を谷側として折畳むことで、図２に完成状態を示すように、シート１は一方の辺（重合辺１ｂと辺１ｃが重なる辺）と斜辺（型押し線５の山側）１ｇが袋状に閉じ、残りの辺（ずれた２辺１ｄ，１ｅにより構成される）が開いた概ね直角三角形形状となる。特に、本形態のように、シート１を正方形とする場合、角部４は、シート１全体の折畳みにより形成される実質上直角三角形の３辺１ｂ（１ａ），１ｅ，１ｇを所定幅部分２を重合させるシート面１ｆ側からみたときの、斜辺１ｇの左端とされる。この折畳みの際、前記切除部分によりシート１の４重重ねが生じることによる不体裁や、積み重ね保存時の厚みの不均衡の蓄積による倒れを防ぐことができる。この状態で、所定幅部分２とシート１全体の折畳みにより所定幅部分２に重合する部分６（図１にハッチングを付して示す）をのり代部として貼着して、折畳み手持ち容器が完成する。
【００１０】
こうした折畳み手持ち容器は、その開放辺側で重なる表裏２つの辺１ｄ，１ｅが所定幅分だけずれた位置関係となる。この構成が本発明の最も特徴的な構成である。この表裏２つの辺１ｄ，１ｅのずれにより、完成品の容器を多数積み重ねた状態で、重なり合う容器間にシート１の厚さ分の隙間が保たれる。この隙間が容器を１個宛取り出す際の容器の分け目となり、順次の取り出しが容易となる。
【００１１】
この容器は、２つの型押し折線３，５部分を偏平に戻すことで、図３に展開状態を示すように、全体として円錐形で、その開口縁１ｄ，１ｅが貼着部分６で段違い部７となり、反対側で山状の凸部８がある形状となる。この形状は、手持ち状態で段違い部７側を手前とし、山状の凸部８側を奥側（身体から遠い側）に向けることで、内容物を投入及び取出しやすく、しかも右側の開口縁１ｄ側が低くなることで、特に右利きの利用者にとって好都合なものとなり，更に容器を奥側にある程度傾けても、内容物がこぼれ難い使用勝手を得ることができる。
【００１２】
この容器に使用するシート材は、紙、紙の表面又は裏面若しくは表裏両面に合成樹脂等の適宜のコーティングを施した積層材、同様の合成樹脂又はその積層物等、任意のものとすることができる。こうした合成樹脂コーティングを施した積層材等の場合、貼着部分は熱接着とすることができる。
【００１３】
容器に収容する内容物は、固形物であれば特に制約はないが、先述のような効果を発揮させる上から、店頭販売されるような固形の食品、例えば、甘栗、焼栗、ポップコーン等が適している。
【００１４】
【発明の効果】
本発明の請求項１に記載の構成では、容器の開放辺側で重なる表裏２つの辺が所定幅分だけずれた位置関係となるため、この表裏２つの辺のずれにより、完成品の容器を多数積み重ねた状態で、重なり合う容器間にシートの厚さ分の隙間が保たれる。この隙間が容器を１個宛取り出す際の容器の分け目となり、順次の取り出しが容易となる。したがって、店頭販売等、特に容器の取出しや展開、更には商品の投入に迅速性を要求される用途に適した折畳み容器を得ることができる。
【００１５】
次に、請求項２に記載の構成では、容器展開時の円錐の頂角が、手持ちの握り感覚に合致した程好い角度となり、しかも開口部の段差が少ない容器形状を実現できる。
【００１６】
更に、請求項３に記載の構成では、容器展開時の開口縁の高さが低い貼着部を手前側に向けて持ったときに、貼着部に対する右側の開口縁が左側の開口縁より低くなるため、右利きの利用者を想定したときに、商品としての内容物の投入、取出しともに容易な形状となる。
【００１７】
また、請求項４に記載の構成では、容器を構成するシートの貼着部に４重重ねが生じることによる不体裁や、折畳み状態で多数積み重ね保存する際の容器厚みの不均衡の蓄積による倒れを防ぐことができる。
【図面の簡単な説明】
【図１】本発明の実施形態に係る折畳み手持ち容器の素材シートを示す斜視図である。
【図２】実施形態の折畳み手持ち容器の折畳み状態を図１の視点と同様の視点からみて示す斜視図である。
【図３】実施形態の折畳み手持ち容器の展開状態を示す斜視図である。
【符号の説明】
１  シート
１ａ  一辺
１ｂ  重合辺
１ｃ  重合辺に交わる辺
１ｆ  シート面
２  所定幅部分
４  角部
５  重合する部分
【図１】
2004149146.tif 000003
【図２】
2004149146.tif 000004
【図３】
2004149146.tif 000005